(57)【特許請求の範囲】
【請求項１】
横連窓ガラス用サッシを上下に先付けしたプレキャストコンクリートカーテンウォールの接合側面に耐水性と柔軟性を有するゴム状弾性材質の２列の凸状の防雨突起を縦に連続して且つ上下に空気の流通可能な間隙を設けて埋設し、更にその後方に防風突起を上端より隙間なく縦に連続して埋設し、下端には室外側に指向して勾配をとった凹部を設けるとともに、相隣るプレキャストコンクリートカーテンウォールの同凹部によって形成された、室外側に指向して傾斜し、且つ室内側端部が閉塞された円形断面状の流路の底部には前記突起と同材質の止水板を取り付ける侵入雨水の排水経路を形成してなることを特徴とするプレキャストコンクリートカーテンウォールと横連窓サッシの外壁の接合構造。
【発明の詳細な説明】
【０００１】
【発明の属する技術分野】
本発明はプレキャストコンクリート（以下ＰＣという）カーテンウォールと横連窓サッシを一体として構成された外壁の接合構造に係るものである。
【０００２】
【従来の技術】
ガラス窓が横に連続し、ガラス窓サッシ間には石貼り、若しくはタイル貼りが施されたＰＣカーテンウォールａが設けられた建物の外装において、従来工事では図６及び図７に示すようにカーテンウォールとサッシとの間は、化成品によるレインバリアｂ及びウインドバリアｃを設けた上で水抜きを可能ならしめている。またＰＣカーテンウォール間、サッシ間の横の接続には通常弾性シーリング材ｄによって雨仕舞が行なわれている。図中ｅはガラスである。
【０００３】
【発明が解決しようとする課題】
しかしながら前記従来の工法は作業工数が多く、手間がかかり検査も容易でなかった。
本発明は前記従来技術の有する問題点に鑑みて提案されたもので、その目的とするところは施工が簡単で効果的な止水が可能な、ＰＣカーテンウォールと横連窓サッシの外壁の接合構造を提供する点にある。
【０００４】
【課題を解決するための手段】
前記の目的を達成するため、本発明に係るＰＣカーテンウォールと横連窓サッシの外壁の接合構造によれば、横連窓ガラス用サッシを上下に先付けしたプレキャストコンクリートカーテンウォールの接合側面に耐水性と柔軟性を有するゴム状弾性材質の２列の凸状の防雨突起を縦に連続して且つ上下に空気の流通可能な間隙を設けて埋設し、更にその後方に防風突起を上端より隙間なく縦に連続して埋設し、下端には室外側に指向して勾配をとった凹部を設けるとともに、相隣るプレキャストコンクリートカーテンウォールの同凹部によって形成された、室外側に指向して傾斜し、且つ室内側端部が閉塞された円形断面状の流路の底部には前記突起と同材質の止水板を取り付ける侵入雨水の排水経路を形成して構成されている。
【０００５】
【発明の実施の形態】
図面は本発明の好ましい実施の形態を示すものである。
Ａは表面に大理石等の石材１やタイルが貼り付けられ、上下に軽金属サッシ２がアンカー３を介して先付けされたＰＣカーテンウォールで、同ＰＣカーテンウォールＡの接合側面に耐水性と柔軟性を有する凸状のゴム状弾性材質の防雨突起４（レインバリア）を縦に連続して前から２列、上下に空気の流通が可能な空隙を設けて埋め込み、更に３列目に同様な材質の防風突起（ウインドバリア）５を上端より隙間なく縦に連続して埋め込み、下端部にはほぼ半円断面の外部に指向する勾配を有する凹部６ａを設け、相隣るＰＣカーテンウォールＡの半円断面部によって形成された円形断面の中空部６の底部には止水シート７を配設して、同止水シート７の底面にはシール８を配設している。（図５参照）
このように構成された相対する一双の半円断面の凹部６ａによって形成された中空部６は、ＰＣカーテンウォール本体を内外方向に横断して後端部において閉塞されている。
【０００６】
図中９は界面シール、１０は耐火材である。
図示の実施例は前記したように構成されているので、ＰＣカーテンウォールと横連窓サッシの接合部において、接合部より侵入した雨水は防雨突起４によって内部への進入を防止されるとともに、防風突起５によって風の進入が防止され、また防雨突起４によってＰＣカーテンウォールＡの内部を等圧排水を可能ならしめるように構成されている。
【０００７】
ＰＣカーテンウォールＡの接合目地部間からの進入雨水及び風は前記２条の防雨突起４及び防風突起５によって内部側への進入を防止され、また前記ＰＣカーテンウォールに設けた中空部６から進入しようとする雨水は、同中空部６が内部側に指向して傾斜し、底面に止水シート７が配設されているので、同シート７上に沿って流下して排水される一方、中空部６側に進入した風は前記中空部６の上端閉塞部によって遮断され、室内側への進入が防止されるとともに、ＰＣカーテンウォールの内部の等圧排水を可能とする。
【０００８】
更に前記実施例によればＰＣカーテンウォール部材を現場で据え付け、同部材に取り付けられた軽金属サッシ２にガラスＢを嵌装するだけで連窓壁が簡単、且つ迅速に完成される。
【０００９】
【発明の効果】
本発明によれば前記したように、横連窓ガラス用サッシを上下に先付けしたＰＣカーテンウォールどうしの接合側面に耐水性と柔軟性を有するゴム状弾性材質の２列の防雨突起を縦に連続して且つ上下に通風可能な間隙を存して埋設するとともに、更にその後方に防風突起を上端より隙間なく縦に連続して埋設したことによって、雨水のＰＣカーテンウォールの接合部からの侵入が防止されるとともに、通風が可能となる。
【００１０】
また前記相隣るＰＣカーテンウォールに設けた室外側に指向して勾配をとった凹部を設け、相隣るＰＣカーテンウォールの同凹部によって形成された室外側に指向して傾斜し、且つ室内側端部が閉塞された円形断面状の底部には、前記突起と同材質の止水板を取り付けて侵入雨水の排水経路を形成したことによって、侵入雨水の排水が簡単に行なわれる。
【００１１】
更にまた本発明によれば前記したように、表面に横連窓ガラス用サッシを先付けし、防風防雨突起を取り付けたＰＣカーテンウォール部材を現場で据え付け、ガラスを嵌め込むだけで連窓壁が簡単、且つ迅速に完成されるものである。
【図面の簡単な説明】
【図１】本発明に係るＰＣカーテンウォールと横連窓サッシの外壁の接合構造の一実施例を示す縦断面図である。
【図２】図１におけるＰＣカーテンウォールの接合部を示す平面図である。
【図３】ＰＣカーテンウォールの斜視図である。
【図４】図３のＰＣカーテンウォールの側面部分を示す斜視図である。
【図５】図４における中空部の詳細を示す拡大断面図である。
【図６】従来のＰＣカーテンウォールの接合部を示す縦断側面図である。
【図７】図６のＰＣカーテンウォール部材の接合部を示す側断面図である。
【符号の説明】
Ａ    ＰＣカーテンウォール
Ｂ    ガラス
１    石材
２    軽金属サッシ
３    アンカー
４    防雨突起（レインバリア）
５    防風突起（ウインドバリア）
６    中空部
６ａ    凹部
７    止水シート
８    シール
９    界面シール
１０    耐火材
【図１】
0003596567.tif 000002
【図２】
0003596567.tif 000003
【図３】
0003596567.tif 000004
【図４】
0003596567.tif 000005
【図５】
0003596567.tif 000006
【図６】
0003596567.tif 000007
【図７】
0003596567.tif 000008